(57)【要約】【課題】隣接物に衝突することなく被支持体を前方に大きく開けられるようにするヒンジ機構を提供する。【解決手段】機枠１の一側辺の内側に前後方向に摺動自在となるように設けた摺動部材１０１，１０２と、機枠の一側辺の内側に設けられたラック歯４８，６７と、摺動部材に立設されたヒンジ軸３３，３４と、ラック歯４８，６７に対して噛合する歯車体３５，３６と、被支持体と歯車体とを連結する連結手段３７，３８とを備え、ヒンジ軸に被支持体と歯車体を枢着し、歯車体が被支持体と一緒にヒンジ軸を支点として回転するのに伴い被支持体がヒンジ軸と共にラック歯に沿って前後方向に移動するようにしたことを特徴とする。【選択図】図４
2019013267.tif 000002
【特許請求の範囲】
【請求項１】
枠体に対し被支持体を開閉可能にする遊技機のヒンジ装置であって、
前記枠体の一側辺の内側に前後方向に摺動自在となるように設けた摺動部材と、前記枠体の一側辺の内側に前記摺動部材の摺動方向と平行になるように設けられたラック歯と、前記摺動部材に立設されたヒンジ軸と、前記ヒンジ軸を中心とする曲率の円弧状歯部を有し前記ラック歯に対して噛合する歯車体と、前記被支持体と前記歯車体とを連結する連結手段とを備え、
前記ヒンジ軸に前記被支持体と前記歯車体を枢着し、前記歯車体が前記被支持体と一緒に前記ヒンジ軸を支点として回転するのに伴い該被支持体が該ヒンジ軸と共に前記ラック歯に沿って前後方向に移動するようにしたことを特徴とする遊技機のヒンジ装置。
【発明の詳細な説明】
【技術分野】
【０００１】
本発明は、パチンコ遊技機、スロットマシン等の遊技機において、機枠に対し被支持体を開閉可能に支持する遊技機のヒンジ装置に関するものである。
【背景技術】
【０００２】
一般に、遊技場の島台に隣接状に多数固設されるパチンコ遊技機は、前面が開口した方形枠状の機枠（枠体）に被支持体としての本体枠を開閉可能にヒンジすると共に、本体枠（枠体）に被支持体としての前面扉を開閉可能にヒンジして構成されている。
【０００３】
ところで、一般的に本体枠の前面に開閉可能に軸支された前面扉の前面両側縁部には、装飾体や種々の演出装置が前方へ突出するように設けられているが、近年、それら装飾体や演出装置が巨大化する傾向にある。そのため、前面扉を前方に開いたり、或いは前面扉と一緒に本体枠を前方に開く際、装飾体や演出装置が遊技機の左側に設置された他の遊技機や球貸装置と衝突してしまうおそれがあり、また、こうした干渉を避けようとすると前方に開く際の開角度が制限され、遊技機内を点検しメンテナンス作業等をするのに支障が生じるおそれがあった。
【０００４】
なお、下記特許文献１，２に示された発明は、機枠に横方向に延びるガイド溝を設け、本他枠を開いた際に該本体枠の軸支部が該ガイド溝にそって内方に移動することで、本体枠を開く際の干渉、衝突が避けられるようにしたものである。
【先行技術文献】
【特許文献】
【０００５】
【特許文献１】特許第４６６５４０７号公報
【特許文献２】特許第４３２０４６０号公報
【発明の概要】
【発明が解決しようとする課題】
【０００６】
しかしながら、特許文献１，２に示された構造では、本体枠を開いても該本体枠の軸支部が機枠から離れることなくガイド溝に沿って横方向に移動するだけであるので、本体枠の軸支部の裏側等の細部が点検し難く、メンテナンス作業等もし難いことがあった。
【０００７】
そこで本発明は、前記課題を解決すべく、被支持体を開くと、被支持体がその軸支部と共に前方へ移動するようにして、被支持体の前側に膨出する装飾体等が隣接する遊技機等に衝突してしまうという弊害を回避できると共に、被支持体を開放して内部を点検、メンテナンス等をする場合においても当該作業を容易に行うことができる遊技機のヒンジ装置を提供することを目的としている。
【課題を解決するための手段】
【０００８】
上記のような課題を解決するために本発明に係る遊技機のヒンジ装置は、枠体に対し被支持体を開閉可能にする遊技機のヒンジ装置であって、前記枠体の一側辺の内側に前後方向に摺動自在となるように設けた摺動部材と、前記枠体の一側辺の内側に前記摺動部材の摺動方向と平行になるように設けられたラック歯と、前記摺動部材に立設されたヒンジ軸と、前記ヒンジ軸を中心とする曲率の円弧状歯部を有し前記ラック歯に対して噛合する歯車体と、前記被支持体と前記歯車体とを連結する連結手段とを備え、前記ヒンジ軸に前記被支持体と前記歯車体を枢着し、前記歯車体が前記被支持体と一緒に前記ヒンジ軸を支点として回転するのに伴い該被支持体が該ヒンジ軸と共に前記ラック歯に沿って前後方向に移動するようにしたことを特徴としている。
【発明の効果】
【０００９】
本発明のヒンジ装置によれば、被支持体を前方へ大きく繰り出すように開放することができるため、遊技機の前面に前方へ膨出する大型の装飾部材等を装着したとしても、それが隣接する遊技機や球貸し機等に衝突するといった弊害を解消することができる。また、被支持体を広く開放することができるため、遊技機内の点検やメンテナンス作業も容易に行うことができる。
【図面の簡単な説明】
【００１０】
【図１】パチンコ遊技機の斜視図。
【図２】前面扉を外したパチンコ遊技機の斜視図。
【図３】パチンコ遊技機の左側面図。
【図４】ヒンジ装置の分解斜視図。
【図５】ヒンジ装置の要部拡大図。
【図６】図７（ａ）のＡ−Ａ線断面図。
【図７】ヒンジ装置の作動状態図。
【図８】ヒンジ装置の要部拡大図。
【図９】ヒンジ装置の要部拡大図。
【発明を実施するための形態】
【００１１】
以下、本発明の実施の形態について、図面を参照しながら説明する。なお、本発明に係る遊技機のヒンジ装置は、例えば、パチンコ遊技機、スロットマシン、雀球機、アレパチ機等の種々の遊技機に適用可能であるが、本実施の形態では、パチンコ遊技機に適用した例を説明する。そこで、まず、パチンコ遊技機についてあらかじめ説明しておく。図１は、パチンコ遊技機の斜視図、図２は前面扉を外したパチンコ遊技機の斜視図である。パチンコ遊技機は、縦長な方形状に枠組み形成される機枠１と、機枠１の一側に設けられたヒンジ装置ｈと、機枠１の前側にヒンジ装置ｈを介して開閉自在に装着されている被支持体としての本体枠２と、本体枠２の前側にヒンジ装置ｈを介して開閉自在に装着されている前面扉３とによって概略構成されている。なお、この実施の形態において「前側」とはパチンコ遊技機の正面側、「後側」とはパチンコ遊技機の背面側、「右側」「左側」とはパチンコ遊技機を正面から見た場合の右側、左側をそれぞれ指すこととする。
【００１２】
前記機枠１は、上下に配置される上枠板１０及び下枠板１１、左右に配置される側枠板１２，１３を組み合わせることで縦長な方形枠状に形成されている。具体的には、上枠板１０の右端上面と右側枠板１２の上端外側面、下枠板１１の右端下面と右側枠板１２の下端外側面、上枠板１０の左端上面と左側枠板１３の上端外側面、下枠板１１の左端下面と左側枠板１３の下端外側面のそれぞれに連結部材１４，１５，１６，１７を配置してビス止めすることによって縦長な方形枠状に形成されている。そして、機枠１の左端部分に本発明に係るヒンジ装置ｈが形成されている。このヒンジ装置ｈについての詳細は後述する。なお、図示はしないが下枠板１１の前方に、合成樹脂製の装飾カバーが装着されることになる。
【００１３】
前記本体枠２は、上下に配置される上囲繞部材１８及び下囲繞部材１９、左右に配置される側部囲繞部材２０，２１を組み合わせることで縦長な方形枠状に形成されており、そのサイズは、機枠１の下端部分を除く前面を略覆うサイズになっている。また、本体枠２の左側の上下隅角部、具体的には、上囲繞部材１８の左端上端部と下囲繞部材１９の左端下端部のそれぞれに機枠１に形成されたヒンジ装置ｈにヒンジする受け板２２，２３が形成されている。この受け板２２，２３は、上囲繞部材１８の上端部と下囲繞部材１９の下端部のそれぞれから前方へ張り出すように延出させた略正方形状の板材で、後述するヒンジ軸３３，３４が挿通される軸挿通孔２２ａ，２３ａと連結ピン３７，３８が挿通されるピン挿通孔２２ｂ，２３ｂが穿設されている。さらに、本体枠２の下囲繞部材１９の上側に、方形状の遊技盤収納凹部２４が形成されており、この遊技盤収納凹部２４に図示はしないが遊技球を流下させる遊技盤が配設されることになる。そして、この遊技盤の前面には、入賞装置、遊技釘、球誘導レール等が配設され、遊技盤の後側には、球タンク、通路部材、球払出装置、各種制御基板等が配設されることになる。また、下囲繞部材１９には、図示はしないが打球発射装置等が配設されることになる。さらに、右側部囲繞部材２０に施錠装置２５が配設されている。
【００１４】
前記前面扉３は、上下に配置される上枠部材２６及び下枠部材２７、左右に配置される側枠部材２８，２９を組み合わせることで縦長な方形枠状に形成されており、そのサイズは、本体枠２の前面を略覆うサイズになっている。このうち、下枠部材２７は、本体枠２の下囲繞部材１９の前面全体を覆う板状に形成されている。また、前面扉３の下枠部材２７を除く部分は開放部になっており、図示はしないが該開放部を後方から塞ぐようにして一対の透明板ユニットが装着されることになる。さらに、前面扉３の下枠部材２７の前面には、図示はしないが球受皿、操作ハンドル等が装着されることになり、また、前面扉３の周囲前面には、前側に膨出する大型の装飾用の合成製樹脂カバーが装着されることになる。
【００１５】
次に、パチンコ遊技機に形成されているヒンジ装置ｈについて図４を参照しながら説明する。ヒンジ装置ｈは、機枠１の左側部分、すなわち、機枠１の左側辺を形成する左側枠板１３の内側部分、及び左側枠板１３の上下のそれぞれに配置される左上連結部材１６及び左下連結部材１７の内側部分に形成されている。具体的には、左側枠板１３の内側に前後方向に摺動自在となるように設けられた摺動部材を備えたスライド手段３０と、左上連結部材１６及び左下連結部材１７のそれぞれの内側面に設けられ複数のラック歯が形成されたラック部材３１，３２と、摺動部材に立設されたヒンジ軸３３，３４と、ヒンジ軸３３，３４に枢着されている歯車体３５，３６と、本体枠２と歯車体３５，３６とを連結する連結手段としての連結ピン３７，３８とによって概略構成されている。
【００１６】
前記左上連結部材１６は、機枠１の上枠板１０の左端上面に取り付けられる上水平板部１６ａと、上水平板部１６ａの左端部から下側に直角に屈曲され左側枠板１３の上端外面に取り付けられる上垂直板部１６ｂとによって形成されている。そして、上水平板部１６ａには、その前後方向の後よりの位置であり且つ右端部に上枠板１０に螺着するための上枠用ネジ孔４０，４０が穿設されていると共に、その前後方向の前寄りの位置であり且つ上枠用ネジ孔４０，４０よりもやや中央よりに上ラック部材３１を螺着するためのラック部材用ネジ孔４１，４１が穿設されている。他方、上垂直板部１６ｂには、その前後方向の後よりの位置に前後方向に所定の長さを有する２つの外側長孔４２，４３が上下に並べて穿設されており、上側の外側長孔４２には、その上端であり且つ前後両端に上方へ延長する縦長半円状の縦孔４２ａ，４２ａが外側長孔４２に連続して穿設されている。また、上垂直板部１６ｂの下端には縦長半円状の切欠４４，４４が形成されている。さらに、上垂直板部１６ｂの縦孔４２ａ，４２ａ、及び切欠４４，４４のそれぞれの間に左側枠板１３に螺着するための左側枠板用ネジ孔４５，４５・・・が穿設されている。また、上垂直板部１６ｂの前後方向前寄りの上端部に上ラック部材３１を螺着するためのラック部材用ネジ孔４６，４６が穿設されている。なお、左上連結部材１６は、図１乃至図３に示されているように、上枠板１０及び左側枠板１３に取り付けた状態において、前後方向の前半部が上枠板１０及び左側枠板１３よりも前方に突出するようになっている。
【００１７】
そして、左上連結部材１６の前方へ突出した部分の内側に上ラック部材３１が装着されている。この上ラック部材３１は、左上連結部材１６の上水平板部１６ａの下面に当接して螺着される略正方形のベース板部３１ａと、ベース板部３１ａの左端部から直角に延出し左上連結部材１６の上垂直板部１６ｂの内面に当接して螺着される延出板部３１ｂとによって形成されており、上ラック部材３１のベース板部３１ａと延出板部３１ｂの境界部分にその歯先が内側を向くように複数のラック歯４８，４８・・・が形成されている。また、上ラック部材３１のベース板部３１ａ下面の右端寄りの位置にラック歯４８と対向するようにガイド片４９が立設されている。さらに、ベース板部３１ａの右端に螺子挿通孔５０，５０が穿設されていると共に、延出板部３１ｂの下端部に螺子挿通孔５１，５１が穿設されている。そして、ベース板部３１ａの螺子挿通孔５０，５０から左上連結部材１６の上水平板部１６ａのラック部材用ネジ孔４１，４１にネジ止めすることで、上ラック部材３１のベース板部３１ａが上水平板部１６ａに固着され、延出板部３１ｂの螺子挿通孔５１，５１から左上連結部材１６の上垂直板部１６ｂのラック部材用ネジ孔４６，４６にネジ止めすることにより、上ラック部材３１の延出板部３１ｂが上垂直板部１６ｂに固着される。これにより、機枠１の内側面、具体的には、左上連結部材１６の内側面にラック歯４８，４８・・・の複数の歯が前後方向に連なるように存在することになる。
【００１８】
前記左下連結部材１７は、機枠１の下枠板１１の左端下面に取り付けられる下水平板部１７ａと、下水平板部１７ａの左端部から上側に直角に屈曲され左側枠板１３の下端外面に取り付けられる下垂直板部１７ｂと、下枠板１１の後側面及び左側枠板１３の後側面に当接される後当接板部１７ｃとによって形成されている。また、下垂直板部１７ｂの上下方向の上半部は、下半部よりも前方に延長されており、その延長部分の下端部に内側へ水平に延出する前方張出板部１７ｄが形成されている。そして、下水平板部１７ａには、その前後方向の後よりの位置であり且つ右端部に下枠板１１及び後述する台座部材５５に螺着するための下枠用ネジ孔５６，５６が穿設されている。他方、下垂直板部１７ｂには、その上半部であり前後方向の後よりの位置に前後方向に所定の長さを有する２つの外側長孔５７，５８が上下に並べて穿設されており、下側の外側長孔５８には、その下端であり且つ前後両端に下方へ延長する縦長半円状の縦孔５８ａ，５８ａが外側長孔５８に連続して穿設されている。また、下垂直板部１７ｂの上端には縦長半円状の切欠５９，５９が形成されている。さらに、下垂直板部１７ｂの縦孔５８ａ，５８ａ、及び切欠５９，５９のそれぞれの間に左側枠板１３に螺着するための左側枠板用ネジ孔６０，６０・・・が穿設されている。また、下垂直板部１７ｂの下半部に台座部材５５に螺着する台座部材用ネジ孔６１，６１・・・が４つ穿設されている。さらに、下垂直板部１７ｂの前方に延長されている部分に下ラック部材３２を螺着するためのラック部材用ネジ孔６３，６３が穿設されており、前方張出板部１７ｄの右端寄りの位置に下ラック部材３２を螺着するためのラック部材用ネジ孔６４，６４が穿設されている。また、後当接板部１７ｃに台座部材５５を螺着するための台座部材用ネジ孔６５が穿設されている。そして、左下連結部材１７の下側に台座部材５５が固着されている。この台座部材５５は、底板５５ａと左側板５５ｂと天板５５ｃと後側板５５ｄによって形成されており、底板５５ａに２箇所、左側板５５ｂに４箇所、後側板５５ｄに１箇所の固着用ネジ孔６６，６６・・・が穿設されている。そして、台座部材５５の底板５５ａが左下連結部材１７の下水平板部１７ａ上に配置された下枠板１１上に載置されて、下水平板部１７ａの下枠用ネジ孔５６，５６から挿通されたネジにより底板５５ａのネジ孔６６，６６に下枠板１１と共に螺着されている。また、台座部材５５の左側板５５ｂが左下連結部材１７の下垂直板部１７ｂに当接され、下垂直板部１７ｂの台座部材用ネジ孔６１，６１・・・から挿通されたネジにより左側板５５ｂのネジ孔６６，６６に螺着され、台座部材５５の後側板５５ｄが左下連結部材１７の後当接板部１７ｃの台座部用ネジ孔６５から挿通されたネジにより後側板５５ｄのネジ孔６６に螺着されている。なお、左下連結部材１７の下垂直板部１７ｂ及び前方張出板部１７ｄは、図１乃至図３に示されているように、左下連結部材１７を下枠板１１及び左側枠板１３に取り付けた状態において、下枠板１１及び左側枠板１３よりも前方に突出するようになっている。
【００１９】
そして、左下連結部材１７の前方へ突出した部分の内側に下ラック部材３２が装着されている。この下ラック部材３２は、左下連結部材１７の前方張出板部１７ｄの上面に当接して螺着される略正方形のベース板部３２ａと、ベース板部３２ａの左端部から直角に延出し左下連結部材１７の下垂直板部１７ｂの内面に当接して螺着される延出板部３２ｂとによって形成されており、下ラック部材３２のベース板部３２ａと延出板部３２ｂの境界部分にその歯先が内側を向くように複数のラック歯６７，６７・・・が形成されている。また、下ラック部材３２のベース板部３２ａの右端寄りの位置にラック歯６７と対向するようにガイド片６８が立設されている。さらに、ベース板部３２ａの右端に螺子挿通孔６９，６９が穿設されていると共に、延出板部３２ｂの上端部に螺子挿通孔７０，７０が穿設されている。そして、ベース板部３２ａの螺子挿通孔６９，６９から左下連結部材１７の前方張出板部１７ｄのラック部材用ネジ孔６４，６４にネジ止めすることで、下ラック部材３２のベース板部３２ａが前方張出板部１７ｄに固着され、延出板部３２ｂの螺子挿通孔７０，７０から左下連結部材１７の下垂直板部１７ｂのラック部材用ネジ孔６３，６３にネジ止めすることにより、下ラック部材３２の延出板部３２ｂが下垂直板部１７ｂに固着される。これにより、機枠１の内側、具体的には、左下連結部材１７の内側面にラック歯６７，６７・・・の複数の歯が前後方向に連なるように存在することになる。
【００２０】
前記左上連結部材１６に固着された上ラック部材３１と前記左下連結部材１７に固着された下ラック部材３２のそれぞれに円形形状であり且つ外周に複数の歯部が形成された上歯車体３５と下歯車体３６が配設されており、上ラック部材３１のラック歯４８に上歯車体３５が噛合し、下ラック部材３２のラック歯６７に下歯車体３６が噛合している。また、これら上歯車体３５と下歯車体３６には、その中心に上ヒンジ軸３３と下ヒンジ軸３４のそれぞれを挿通するためのヒンジ軸孔３５ａ，３６ａが形成されており、また、ヒンジ軸孔３５ａ，３６ａの側方（図４では右側）に上連結ピン３７と下連結ピン３８のそれぞれを挿通するためのピン用孔３５ｂ，３６ｂが形成されている。
【００２１】
前記左側枠板１３は、縦長の平板からなる縦板部１３ａと、縦板部１３ａの上下端部のそれぞれを内側へ直角に折曲して形成した横板部１３ｂ，１３ｃとで正面視逆コ字型に形成されている。このうち、横板部１３ｂ，１３ｃは、その先端側が縦板部１３ａの前端よりも前方へ延出しており、全体として前後方向が長い矩形状になっている。また、上側の横板部１３ｂの右端部分は下方へ直角に屈曲させた折返案内片１３ｄが、下側の横板部１３ｃの右端部分は上方へ直角に屈曲させた折返案内片１３ｅが形成されている。さらに、上側の横板部１３ｂと下側の横板部１３ｃには、後述する摺動板１０１，１０２及び被覆板１１６，１１７を螺着するネジ孔７２，７３が２つずつ穿設されている。また、上側の横板部１３ｂの下面と下側の横板部１３ｃの上面には、前後方向に所定の長さを有する細幅の円弧状膨出部７４，７５が横並びに２つずつ形成されている。他方、縦板部１３ａには、その上端部に前後方向に所定長さを有する２つの内側長孔７６，７７が上下に並んで穿設されていると共に、縦板部１３ａの下端部に前後方向に所定長さを有する２つの内側長孔７８，７９が上下に並んで穿設されている。他方、縦板部１３ａの上端部の上側の内側長孔７６の上方と下側の内側長孔７７の下方のそれぞれに後述するギア体移動板８０を固着するためのギア体移動板用ネジ孔８１，８１・・・が各々４つずつ穿設されている。同様に、縦板部１３ａの下端部の上側の内側長孔７８の上方と下側の内側長孔７９の下方のそれぞれにギア体移動板８２を固着するためのギア体移動板用ネジ孔８３，８３・・・が各々４つずつ穿設されている。さらに、ギア体移動板用ネジ孔８１のうち下側に位置するものの下方であり左側枠板１３の前端部にスライド部材用ネジ孔８９が穿設されており、ギア体移動板用ネジ孔８３のうち下側に位置するものの上方であり左側枠板１３の前端部にスライド部材用ネジ孔９０が穿設されている。そして、左側枠板１３の縦板部１３ａの上端部と下端部のそれぞれにギア体移動板８０，８２が装着されている。このギア体移動板８０，８２は、矩形状の板材であり、後述する移動補助ギア体９２，９３の小径ギア９６，９７を移動させるための横長長方形のギア用矩形孔８５〜８８が上下に２つずつ並んで穿設されている。また、各々のギア体移動板８０，８２の上側のギア用矩形孔８５，８７の下辺部には歯先が上向きのラック歯８５ａ，８５ａ・・・、８７ａ，８７ａ・・・が形成されており、各々のギア体移動板８０，８２の下側のギア用矩形孔８６，８８の上辺部には歯先が下向きのラック歯８６ａ，８６ａ・・・、８８ａ，８８ａ・・・が形成されている。そして、上側のギア体移動板８０は、左側枠板１３の上端外側面に当接させた左上連結部材１６の上水平板部１６ａの左側枠板用ネジ孔４５，４５から左側枠板１３のギア体移動板用ネジ孔８１，８１・・・とギア体移動板８０のネジ孔にネジを挿通して螺着されている。また、下側のギア体移動板８２は、左側枠板１３の下端外側面に当接させた左下連結部材１７の下水平板部１７ａの左側枠板用ネジ孔６０，６０から左側枠板１３のギア体移動板用ネジ孔８３，８３とギア体移動板８２のネジ孔にネジを挿通して螺着されている。
【００２２】
前記ギア体移動板８０，８２には、移動補助ギア体９２，９３が装着されている。この移動補助ギア体９２，９３の各々は、図９に示されているように、周囲に歯部が形成された円形であり且つ同径の大径ギア９４ａ，９４ｂ、９５ａ，９５ｂを上下に並べて互いに噛合させると共に、これら大径ギア９４ａ，９４ｂ、９５ａ，９５ｂのそれぞれの左側に該大径ギア９４ａ，９４ｂ、９５ａ，９５ｂよりも径の小さな円形の小径ギア９６ａ，９６ｂ、９７ａ，９７ｂを固着して形成されている。そして、上側の小径ギア９６ａ，９７ａの歯部をギア体移動板８０，８２のギア用矩形孔８５，８７の下辺部に形成されたラック歯８５ａ，８７ａに噛合させ、下側の小径ギア９６ｂ，９７ｂの歯部をギア体移動板８０，８２のギア用矩形孔８６，８８の上辺部に形成されたラック歯８６ａ，８８ａに噛合させている。
【００２３】
前記スライド手段３０は、左側枠板１３の内側に配置される部材で、縦長の平板からなるスライド縦板１００と、スライド縦板１００の上下端部のそれぞれを内側へ直角に折曲して形成したスライド部材としての摺動板１０１，１０２とによって正面視略逆コ字型に形成されている。そして、スライド縦板１００の上端部１００ａと下端部１００ｂ、具体的には、スライド手段３０を左側枠板１３に装着した際、左側枠板１３に固着されたギア体移動板８０，８２に臨む部分が段差を介して若干内側に位置するようにして左側枠板１３の縦板部１３ａとの間に間隙ができるようにし、この間隙部分に移動補助ギア体９２，９３を配置し得るようにしてある。また、スライド縦板１００の上端部１００ａと下端部１００ｂのそれぞれにギア体用ネジ孔９５，９６が穿設されている。さらに、スライド縦板１００の上端部１００ａの下方と下端部１００ｂの上方のそれぞれに前後方向に所定の長さを有するスライド長孔１０５，１０６が穿設されている。他方、摺動板１０１，１０２は、その先端側がスライド縦板１００の前端よりも前方へ延出しており、全体として前後方向が長い矩形状になっている。また、摺動板１０１，１０２のそれぞれの前端左側には半円弧状に延出する軸挿通部１０７，１０８が形成されており、これら軸挿通部１０７，１０８にヒンジ軸３３，３４を挿通する軸孔１１０，１１１が穿設されている。さらに、摺動板１０１，１０２のそれぞれには、その前後方向の前寄りの位置であり且つ右端部に前後方向に所定の長さを有する第１長孔１１２，１１３が穿設されていると共に、その前後方向の後寄りの位置であり且つ幅方向の略中央部に第２長孔１１４，１１５が穿設されている。また、上下の摺動板１０１，１０２の上側に該摺動板１０１，１０２と同一形状の被覆板１１６，１１７がそれぞれ螺着されている。そして、この被覆板１１６，１１７には、その前端左側の軸挿通部１１８，１１９にヒンジ軸３３，３４を挿通する軸孔１２０，１２１が穿設されている。また、被覆板１１６，１１７には、摺動板１０１，１０２と同じように第１長孔１２２，１２３、第２長孔１２４，１２５が穿設されているが、被覆板１１６，１１７の第１長孔１２２，１２３及び第２長孔１２４，１２５は、摺動板１０１，１０２の第１長孔１１２，１１３及び第２長孔１１４，１１５よりも幅広になっている。ちなみに、本実施形態において、摺動板に被覆板が固着されて摺動部材として機能することになる。
【００２４】
なお、スライド手段３０を左側枠板１３に装着するにあたっては、まず、スライド手段３０をその摺動板１０１，１０２が左側枠板１３の横板部１３ｂ，１３ｃの内側に位置するように左側枠板１３に接近させる。この時、左上連結部材１６の内側に固着されている上ラック部材３１に上歯車体３５を配置しておき、上歯車体３５のヒンジ軸孔３５ａに挿通され下方に突出する上ヒンジ軸３３に摺動板１０１の軸孔１１０を遊嵌させる。同様に左下連結部材１７の内側に固着されている下ラック部材３２に下歯車体３６を配置しておき、下歯車体３６のヒンジ軸孔３６ａに挿通され上方に突出する下ヒンジ軸３４に摺動板１０２の軸孔１１１を遊嵌させる。また、スライド縦板１００の上端部１００ａのギア部材用ネジ孔１０３，１０３と、下端部１００ｂのギア部材用ネジ孔１０４，１０４からネジ１３０，１３１を挿通して左側枠板１３のギア体移動板８０，８２に配置した移動補助ギア体９２，９３を取着する。具体的には、左上連結部材１６の外側長孔４２，４３の双方に外側から雌螺子部材１３２，１３２の軸筒を挿入し、該雌螺子部材１３２，１３２の軸筒を左側枠板１３の内側長孔７６，７７、ギア体移動板８２のギア用矩形孔８５，８６、及び移動補助ギア体９２の軸孔を貫通させる。そして、スライド縦板１００のギア部材用ネジ孔１０３，１０３に臨む雌螺子部材１３２，１３２の雌螺子部分にネジ１３０，１３０を螺着する。同様に、左下連結部材１７の外側長孔５７，５８の双方に外側から雌螺子部材１３３，１３３の軸筒を挿入し、該雌螺子部材１３３，１３３の軸筒を左側枠板１３の内側長孔７８，７９、ギア体移動板８２のギア用矩形孔８７，８８、及び移動補助ギア体９３の軸孔を貫通させる。そして、スライド縦板１００のギア部材用ネジ孔１０４、１０４に臨む雌螺子部材１３３，１３３の雌螺子部分にネジ１３１，１３１を螺着する。さらに、スライド縦板１００の上方と下方のそれぞれに穿設されているスライド長孔１０５，１０６に内側（右側）から雌螺子部材１３４，１３５を挿通し、この雌螺子部材１３４，１３５の雌螺子部分に左側枠板１３の外側（左側）からスライド部材用ネジ孔８９，９０に挿入したネジ１３６，１３７によって螺着する。また、スライド手段３０の上下の被覆板１１６，１１７の第１長孔１２２，１２３及び第２長孔１２４，１２５にネジ１３８，１３８、１３９，１３９を挿通し、左側枠板１３の横板部１３ｂ，１３ｃのネジ孔７２，７３に螺着する。最後に、本体枠２をヒンジ装置ｈに装着する。すなわち、上ラック部材３１に配設され下方へ突出する上ヒンジ軸３３と上連結ピン３７、及び下ラック部材３２に配設され上方へ突出する下ヒンジ軸３４と下連結ピン３８のそれぞれに、本体枠２の左側隅角部に形成された受け板２２，２３の軸挿通孔２２ａ，２３ａとピン挿通孔２２ｂ，２３ｂを遊嵌させる。これにより、スライド手段３０は、左側枠板１３に対して、前後方向へ摺動自在に装着される。
【００２５】
次に上記のように構成された本実施形態のヒンジ装置ｈの作用について図７を参照しながら説明する。なお、図７では、説明の便宜上、機枠１に本体枠２のみを装着し、前面扉３を装着していないパチンコ遊技機を示している。また、上側の摺動部材と下側の摺動部材は、同じ動作をするので下側の摺動部材を例として説明する。また、本実施の形態で摺動部材は、摺動板１０１と該摺動板１０１に固着された被覆板１１７とで構成されているが、説明の便宜上、符号は１１７とのみ記載する。図７（ａ）は、機枠１に対して本体枠２を閉止している状態である。この状態では、摺動部材１１７の後端が機枠１の後端に位置していると共に、下歯車体３６は左下連結部材１７の前方張出板部１７ｄ上に位置している。そして、図７（ｂ）に示されているように、本体枠２を開放すべく本体枠２について下ヒンジ軸３４を支点として前方へ回動させると、下歯車体３６と本体枠２の受け板２３が連結ピン３８によって連結されていることから下歯車体３６も一緒に回動する。そして、下歯車体３６の歯部が下ラック部材３２のラック歯６７，６７・・・に噛合していると共に、ヒンジ軸３４は、下歯車体３６と受け板２３のみならず、摺動部材１１７にも貫通していることから下歯車体３６が回動するのに伴い、下歯車体３６がラック歯６７，６７・・・に沿って前進し、且つ摺動部材１１７及びヒンジ軸３４も一緒に前進する。ちなみに、摺動部材１１７は、横板部１３ｃの折返案内片１３ｄに沿って移動するので、左右にぶれることなく真っ直ぐに移動することになる。そして、図７（ｃ）に示されているように、本体枠２を完全に開放した状態にすると、下ヒンジ軸３４は、左下連結部材１７の前方張出板部１７ｄの前端よりも前方に位置するところまで移動し、これに伴って、本体枠２はかなり前方へ移動した状態で開放されることになる。この結果、本体枠２を開放した際、本体枠２の前面にヒンジされる前面扉３も必然的に前方へ移動することになり、仮に前面扉３の周囲前面に前側に膨出する大型の装飾用の合成樹脂製カバー等が装着されていたとしても、当該合成樹脂製カバー等が隣接する機器等と衝突してしまうことを回避することができる。なお、本体枠２を機枠１に対して閉止する場合、前述した開放する場合と逆に作用する。すなわち、図７（ｃ）の状態から、本体枠２を閉止すべく下ヒンジ軸３４を支点として後方へ回動させると、下歯車体３６がラック歯６７，６７・・・に沿って後進すると共に、摺動部材１１７及び下ヒンジ軸３４も後進し、本体枠２は機枠１に対しスムーズに閉止状態へと移行する。
【００２６】
なお、本実施の形態におけるヒンジ装置ｈは、摺動部材を円滑に前後進させるために種々の機能を付加している。まず、上側の摺動板１０１と下側の摺動部材１０２は、スライド縦板１００によって一体的に連結されている。そのため、上側の摺動板１０１と下側の摺動板１０２が同時に前後進することになり、より円滑に動作するようになっている。さらに、図９に示されているように、左側枠板１３の縦板部１３ａとスライド縦板１００の間に移動補助ギア体９２，９３を設けているので、スライド縦板１００自体も円滑に前後進するように構成されている。すなわち、移動補助ギア体９２，９３は、その小径ギア９６ａ，９６ｂ，９７ａ，９７ｂが縦板部１３ａに固着されたギア体移動板８０，８２のラック歯８５ａ，８６ａ，８７ａ，８８ａに沿って移動し、これを大径ギア９５ａ，９５ｂ、９６ａ，９６ｂに伝達してスライド縦板１００を移動させるため、スライド縦板１００は上下左右にぶれることなく円滑に移動することになる。
【００２７】
なお、前記実施の形態において、摺動部材を摺動板と該摺動板に固着した被覆板によって構成した例を示したが、必ずしも被覆板を設ける必要はなく、摺動板のみで構成しても良い。また、前記実施の形態において、上下の摺動板をスライド縦板によって一体的に連結した例を示したが、必ずしも上下の摺動板を連結する必要はない。さらに、前記実施の形態において、摺動部材や歯車体を上下両方に設けた例を示したが、必ずしも上下に設けなくてもよく、上下のいずれか一方に設け、他方はもっと簡素な構成にすることも可能である。また、前記実施の形態では、歯車体の例として、外周全体に歯部が形成された円形のものを示したが、これに限られず、ヒンジ軸を中心とする曲率の円弧状の歯部が必要数形成されていれば、必ずしも円形のものである必要はない。
【符号の説明】
【００２８】
１          機枠
２          本体枠（被支持体）
３３        上ヒンジ軸
３４        下ヒンジ軸
３５        上歯車体
３６        下歯車体
３７        上連結ピン（連結手段）
３８        下連結ピン（連結手段）
４８        ラック歯
６７        ラック歯
１０１      摺動板（摺動部材）
１０２      摺動板（摺動部材）
１１６      被覆板（摺動部材）
１１７      被覆板（摺動部材）
【図１】
2019013267.tif 000003
【図２】
2019013267.tif 000004
【図３】
2019013267.tif 000005
【図４】
2019013267.tif 000006
【図５】
2019013267.tif 000007
【図６】
2019013267.tif 000008
【図７】
2019013267.tif 000009
【図８】
2019013267.tif 000010
【図９】
2019013267.tif 000011